(57)【特許請求の範囲】
【請求項１】
音声レベル差を補正した音声信号を出力する音声レベル差補正機能を搭載した映像音声出力装置であって、
外部スピーカを制御する前記外部スピーカ制御装置に対して、デジタルマルチメディアインターフェースの制御機能を利用し、再生ボリューム値を要求し、前記音声レベル差補正機能を非搭載の前記外部スピーカ制御装置から前記再生ボリューム値を受信し、前記外部スピーカ制御装置で設定されている前記再生ボリューム値を検出する検出手段と、
前記検出手段により検出された前記再生ボリューム値に対応するデシベル値を算出する算出手段と、
前記算出されたデシベル値に対応した音声信号を生成する生成手段と、
前記外部スピーカ制御装置に対して、前記生成された前記音声信号を出力する音声信号出力手段と、
前記音声信号に対応した映像信号に基づく映像を出力する映像出力手段と、
を備えたことを特徴とする映像音声出力装置。
【請求項２】
前記算出手段は、複数の再生ボリューム値と複数のデシベル値との対応関係を示す変換テーブルに基づき、前記検出手段により検出された前記再生ボリューム値に対応するデシベル値を算出することを特徴とする請求項１に記載の映像音声出力装置。
【請求項３】
前記算出手段は、複数の再生ボリューム値と複数のデシベル値との第１の対応関係を示す第１の変換テーブル、及び複数の再生ボリューム値と複数のデシベル値との第２の対応関係を示す第２の変換テーブルのうちの選択された変換テーブルに基づき、前記検出手段により検出された前記再生ボリューム値に対応するデシベル値を算出することを特徴とする請求項１に記載の映像音声出力装置。
【請求項４】
前記検出手段は、前記外部スピーカ制御装置のベンダーＩＤを検出し、
前記算出手段は、複数の再生ボリューム値と複数のデシベル値との対応関係を示す複数の変換テーブルのうちの、前記検出手段により検出されたベンダーＩＤに対応した変換テーブルに基づき、前記検出手段により検出された前記再生ボリューム値に対応するデシベル値を算出することを特徴とする請求項１に記載の映像音声出力装置。
【請求項５】
音声レベル差を補正した音声信号を出力する音声レベル差補正機能を搭載した映像音声出力装置に適用可能な映像音声出力方法であって、
外部スピーカを制御する前記外部スピーカ制御装置に対して、デジタルマルチメディアインターフェースの制御機能を利用し、再生ボリューム値を要求し、前記音声レベル差補正機能を非搭載の前記外部スピーカ制御装置から前記再生ボリューム値を受信し、前記外部スピーカ制御装置で設定されている前記再生ボリューム値を検出し、
前記検出された前記再生ボリューム値に対応するデシベル値を算出し、
前記算出されたデシベル値に対応した音声信号を生成し、
前記外部スピーカ制御装置に対して前記生成された前記音声信号を出力するとともに、前記音声信号に対応した映像信号に基づく映像を出力する、
ことを特徴とする映像音声出力方法。
【発明の詳細な説明】
【技術分野】
【０００１】
本発明は、ＴＶなどの映像音声出力装置、及びこのような音声出力機器に適用可能な映像音声出力方法に関する。
【背景技術】
【０００２】
近年、HDMI（High Definition Multimedia Interface）（登録商標）を搭載したデジタル機器、例えばTV、DVD プレーヤー、DVD レコーダー、及びAV アンプが普及している。HDMIは、映像、音声を非圧縮で転送することができる。また、HDMI-CEC（Consumer Electronics Control）準拠と謳った機器同士、例えばTVとDVD レコーダーとを接続すると、HDMI-CEC機能により、TV リモコンを使用して、TVに接続されたDVD レコーダーを操作することができる。
【０００３】
上記したHDMI-CECを利用した音の出力制御に関する技術が開示されている（特許文献１参照）。具体的には、アンプのマイコンが、電源のオフ状態からオン状態への変換を検出した場合に、HDMI-CEC通信部を介して、アンプに接続されているテレビに対して、テレビモードであるのか、シアターモードであるのかを示す情報の通知を要求する。これに対して、アンプのマイコンが、テレビからテレビモードの回答を受信すると、アンプに接続された外部スピーカに対して音信号を出力しないように制御する。これにより、テレビからアンプに対して提供される音信号は、外部スピーカから出力されず、テレビ側の内部スピーカから出力されることになる。また、アンプのマイコンが、テレビからシアターモードの回答を受信すると、今度は、アンプに接続された外部スピーカに対して音信号を出力するように制御する。これにより、テレビからアンプに対して提供される音信号は、外部スピーカから出力され、テレビ側の内部スピーカから出力されないことになる。
【０００４】
また、つい最近では、テレビ音声のレベル差を補正する技術として、Dolby Volume(登録商標)なる技術が公開されている。
【０００５】
Dolby Volumeは、Leveler/Modelerと言う概念を持ち、Leveler/Modelerの夫々が、コンテンツの音量レベル差による違和感を解消する機能、及び再生ボリューム位置（音量）に応じて帯域補正を行う機能を有する。つまり、Dolby Volumeは、様々な音源に対して常に安定した音量と音質を提供する技術である。
【特許文献１】特開２００７−１０４１３８
【発明の開示】
【発明が解決しようとする課題】
【０００６】
Dolby VolumeのModelerは、再生音量に応じた処理を行う。ＴＶセットに内蔵された内部スピーカからの出力に対してDolby Volumeの効果を得るための設計は、比較的容易である。それは、ＴＶセットが、音量調整部とスピーカ出力部を内蔵しているからである。
【０００７】
しかしながら、外部スピーカ制御装置（amplifier）を介してＴＶセットに対して接続された外部スピーカからの出力に対してDolby Volumeの効果を得るための設計は、容易ではない。それは、ＴＶセット側が、外部スピーカ制御装置において設定されている音量を検出することができないためである。
【０００８】
本発明の目的は、HDMI-CECとDolby Volumeの両技術を利用し、Dolby Volume非搭載の機器に対してDolby Volumeの効果を齎すことが可能な映像音声出力装置及び映像音声出力方法を提供することにある。
【課題を解決するための手段】
【０００９】
この発明の一実施形態に係る映像音声出力装置は、外部スピーカを制御する外部スピーカ制御装置で設定されている再生ボリューム値を検出する検出手段と、前記検出手段により検出された再生ボリューム値に対応するデシベル値を算出する算出手段と、前記算出されたデシベル値に対応した音声信号を生成する生成手段と、前記外部スピーカ制御装置に対して、前記生成された前記音声信号を出力する音声信号出力手段と、前記音声信号に対応した映像信号に基づく映像を出力する映像出力手段とを備えている。
【００１０】
この発明の一実施形態に係る映像音声出力方法は、外部スピーカを制御する外部スピーカ制御装置で設定されている再生ボリューム値を検出し、前記検出された再生ボリューム値に対応するデシベル値を算出し、前記算出されたデシベル値に対応した音声信号を生成し、前記外部スピーカ制御装置に対して前記生成された前記音声信号を出力するとともに、前記音声信号に対応した映像信号に基づく映像を出力する。
【発明の効果】
【００１１】
本発明によれば、HDMI-CECとDolby Volumeの両技術を利用し、Dolby Volume非搭載の機器に対してDolby Volumeの効果を齎すことが可能な映像音声出力装置及び映像音声出力方法を提供できる。
【発明を実施するための最良の形態】
【００１２】
以下、図面を参照し、本発明の実施形態について説明する。
【００１３】
図２は、この発明の一実施形態に係るデジタルテレビジョン放送受信装置１（映像音声出力装置）の概略構成を示す図である。以下、図２を参照し、デジタルテレビジョン放送受信装置１について説明する。
【００１４】
ＢＳ／ＣＳデジタル放送受信用のアンテナ４３で受信した衛星デジタルテレビジョン放送信号は、入力端子４４を介して衛星デジタル放送用のチューナ４５に供給される。チューナ４５は、受信された衛星デジタルテレビジョン放送信号に含まれる複数のチャンネルの放送信号の中から、所望のチャンネルの放送信号を選局する。
【００１５】
チューナ４５で選局された所望のチャンネルの放送信号は、ＰＳＫ（Phase Shift Keying）復調器４６に供給される。ＰＳＫ復調器４６は、所望のチャンネルの放送信号をデジタルの映像信号及び音声信号に復調し、これら映像信号及び音声信号を信号処理部４７に出力する。
【００１６】
また、地上デジタル放送受信用のアンテナ４８で受信した地上デジタルテレビジョン放送信号は、入力端子４９を介して地上デジタル放送用のチューナ５０に供給される。チューナ５０は、受信された地上デジタルテレビジョン放送信号に含まれる複数のチャンネルの放送信号の中から、所望のチャンネルの放送信号を選局する。
【００１７】
チューナ５０で選局された所望のチャンネルの放送信号は、ＯＦＤＭ（Orthogonal Frequency Division Multiplexing）復調器５１に供給される。ＯＦＤＭ復調器５１は、所望のチャンネルの放送信号をデジタルの映像信号及び音声信号に復調し、これら映像信号及び音声信号を信号処理部４７に出力する。
【００１８】
また地上波アナログテレビジョン放送信号用のアナログチューナ５８も設けられており、このアナログチューナ５８は、受信された地上波アナログテレビジョン放送信号に含まれる複数のチャンネルの放送信号の中から、所望のチャンネルの放送信号を選局する。
【００１９】
チューナ５８で選局された所望のチャンネルの放送信号は、アナログ復調器５９に供給される。アナログ復調器５９は、所望のチャンネルの放送信号を映像信号及び音声信号に復調し、これら映像信号及び音声信号を信号処理部４７に出力する。
【００２０】
信号処理部４７は、ＰＳＫ復調器４６から供給されたデジタルの映像信号及び音声信号と、ＯＦＤＭ復調器５１から供給されたデジタルの映像信号及び音声信号と、アナログ復調器５９から供給された映像信号及び音声信号と、さらにライン入力端子からの映像信号及び音声信号とに対して、所定のデジタル信号処理を施し、グラフィック処理部５２及び音声処理部５３に出力する。
【００２１】
グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７からのデジタルの出力映像信号又はＯＳＤ信号が重畳されたデジタルの出力映像信号を映像処理部５５へ出力する。
【００２２】
映像処理部５５は、デジタルの映像信号を映像表示器５７で表示可能なフォーマットのアナログの映像信号に変換する。映像表示器５７は、変換されたアナログの映像信号に基づく映像を出力する。
【００２３】
音声処理部５３は、信号処理部４７から供給されるデジタルの音声信号を、内部スピーカ５６で再生可能なフォーマットのアナログの音声信号に変換し、変換されたアナログの音声信号を内部スピーカ５６に出力する。内部スピーカ５６は、変換されたアナログの音声信号に基づき音声を再生する。
【００２４】
さらに、音声処理部５３は、Dolby Volume機能を有する。音声処理部５３は、Dolby Volume機能を利用して、信号処理部４７から供給されるデジタルの音声信号から、指定されたデシベル値に対応したアナログの音声信号を生成し、生成されたアナログの音声信号を内部スピーカ５６に出力する。或いは、音声処理部５３は、Dolby Volume機能を利用して、信号処理部４７から供給されるデジタルの音声信号から、指定されたデシベル値に対応したデジタルの音声信号を生成し、生成されたデジタルの音声信号をＨＤＭＩ Ｉ／Ｆ（Interface）８７に出力する。ＨＤＭＩ Ｉ／Ｆ８７に入力されたデジタルの音声信号は、ＨＤＭＩ端子８８を介して、外部スピーカ制御装置（amplifier）２に出力される。
【００２５】
制御部６１は、ＣＰＵ（Central Processing Unit）を含み、制御部６１は、上記した放送信号の受信、放送信号の処理、及び放送信号の出力、さらにはＨＤＭＩ−ＣＥＣを含む全ての動作を制御する。制御部６１は、操作部７１から入力される操作情報、または、受光部７３経由で入力されるリモートコントローラ７２からの操作情報に基づき、各部を制御する。
【００２６】
制御部６１は、ＣＰＵが実行する制御プログラムを格納したＲＯＭ（Read Only Memory）６１１と、ＣＰＵに作業エリアを提供するＲＡＭ（Random Access Memory）６１２と、各種の設定情報及び制御情報等が格納される不揮発性メモリ６１３を含む。
【００２７】
制御部６１は、カードＩ／Ｆ７５を介して、第１のメモリカード７７が装着可能なカードホルダ７６に接続されている。これによって、制御部６１は、カードホルダ７６に装着された第１のメモリカード７７と、カードＩ／Ｆ７５を介して情報の送受信を行なうことができる。制御部６１は、さらに別のカードＩ／Ｆを介して、第２のメモリカードが装着可能なカードホルダに接続されてもよい。
【００２８】
また、制御部６１は、通信Ｉ／Ｆ８１を介して第１のＬＡＮ端子８２に接続されている。これにより、制御部６１は、第１のＬＡＮ端子８２に接続されたＬＡＮ対応のＨＤＤ（ハードディスクドライブ装置）と、通信Ｉ／Ｆ８１を介して情報の送受信を行なうことができる。さらに、制御部６１は、ＤＨＣＰ（Dynamic Host Configuration Protocol）サーバ機能を有し、第１のＬＡＮ端子８２に接続されたＬＡＮ対応のＨＤＤにＩＰ（Internet Protocol）アドレスを割り当て、ＨＤＤの動作を制御する。さらに、制御部６１は、別の通信Ｉ／Ｆを介して第２のＬＡＮ端子に接続されてもよい。
【００２９】
また、制御部６１は、ＵＳＢ Ｉ／Ｆ８３を介してＵＳＢ端子８４に接続されている。これにより、制御部６１は、ＵＳＢ端子８４に接続された各機器と、ＵＳＢ Ｉ／Ｆ８３を介して情報の送受信を行なうことができる。
【００３０】
また、制御部６１は、ｉ．Link（登録商標） Ｉ／Ｆ８５を介してｉ．Link端子８６に接続されている。これにより、制御部６１は、ｉ．Link端子８６に接続された各機器と、ｉ．Link Ｉ／Ｆ８５を介して情報の送受信を行なうことができる。
【００３１】
また、制御部６１は、ＨＤＭＩ（High Definition Multimedia Interface）規格に合致したＨＤＭＩ Ｉ／Ｆ８７を介してＨＤＭＩ端子８８に接続された各機器と情報の送受信を行なうことができる。
【００３２】
また、制御部６１は、電子番組情報を処理するための番組情報処理部６２１と、メニュー情報の処理するためのメニュー情報処理部６２２を有する。さらに、制御部６１は、カーソル位置制御部６２３も有する。カーソル位置制御部６２３は、利用者によるリモートコントローラ７２を介したカーソル操作に対応して、カーソルの動作を制御する。
【００３３】
なお、制御部６１による各制御機能は、ソフトウエアにより実現されるものであってもよい。
【００３４】
次に、図１を参照して、上記したデジタルテレビジョン放送受信装置１と外部スピーカ制御装置２（amplifier）とが接続され、さらに外部スピーカ制御装置２と外部スピーカ３とが接続されたケースについて説明する。より詳細には、デジタルテレビジョン放送受信装置１と外部スピーカ制御装置２とは、互いのＨＤＭＩ端子を介して接続されている。さらに、デジタルテレビジョン放送受信装置１と外部スピーカ制御装置２とは、音声出力端子８９を介して、光ケーブル又はピンケーブルで接続されており、デジタルテレビジョン放送受信装置１から出力される音声信号は、光ケーブル経由（リニアＰＣＭ出力）又はピンケーブル経由で外部スピーカ制御装置２に入力される。
【００３５】
上記したように、デジタルテレビジョン放送受信装置１は、ＨＤＭＩ端子を搭載しＨＤＭＩ−ＣＥＣに対応した装置であり、しかもDolby Volumeに対応している。一方の外部スピーカ制御装置２は、ＨＤＭＩ端子を搭載しＨＤＭＩ−ＣＥＣに対応した装置であるものの、Dolby Volumeに対応していないとする。
【００３６】
デジタルテレビジョン放送受信装置１の制御部６１は、ＨＤＭＩ−ＣＥＣのボリューム位置通知コマンドを使用して、外部スピーカ制御装置２の再生ボリューム値（ボリューム位置）を検出する。より詳細には、以下の手順で、外部スピーカ制御装置２の再生ボリューム値を検出する。
【００３７】
１、デジタルテレビジョン放送受信装置１は、外部スピーカ制御装置２に対して、下記コマンド１で要求する。
【００３８】
Opcode：<Give Audio Status>(0x71)
２、外部スピーカ制御装置２は、上記コマンド１を受信し、デジタルテレビジョン放送受信装置１に対して、下記コマンド２で応答する。
【００３９】
Opcode：<Report Audio Status>(0x7A)
Parameters：[Audio Status]
なお、パラメータ[Audio Status]は1バイトのデータであり、詳細は以下の通りである。
【００４０】
Bit 7：0 = “Audio Mute Off”／Bit 7：1 = “Audio Mute On”
Bit 6-0 ：0x00≦N≦0x64
Bit 6-0で示される音量値はCECの規格により下記のように定義されている。
【００４１】
Used to indicate the current audio volume status of a device.
N indicates audio playback volume, expressed as a percentage (0% - 100%). N=0 is no sound; N=100 is maximum volume sound level.
The linearity of the sound level is device dependent.
This value is mainly used for displaying a volume status bar on a TV screen.
つまり、上記コマンドで得られる再生ボリューム値は、０〜１００の１０１段階の音量レベルである。デジタルテレビジョン放送受信装置１の制御部６１は、上記コマンドにより検出された再生ボリューム値に対応するデシベル値を算出する。
【００４２】
例えば、制御部６１の不揮発性メモリ６１３は、複数の再生ボリューム値と複数のデシベル値との対応関係を示す変換テーブルを記憶している。例えば、この変換テーブルには、再生ボリューム値Ｎ（Ｎ＝０〜１００）に対応するデシベル値Ｍ（Ｍ＝０〜７０）が記述されている。制御部６１は、この変換テーブルに基づき、検出された再生ボリューム値に対応するデシベル値を算出する。
【００４３】
或いは、制御部６１の不揮発性メモリ６１３は、複数の再生ボリューム値と複数のデシベル値との第１の対応関係を示す第１の変換テーブル、及び複数の再生ボリューム値と複数のデシベル値との第２の対応関係を示す第２の変換テーブルを記憶している。例えば、この第１の変換テーブルには、再生ボリューム値Ｎ（Ｎ＝０〜１００）に対応するデシベル値Ｍ（Ｍ＝６〜５０）が記述されている。この第２の変換テーブルには、再生ボリューム値Ｎ（Ｎ＝０〜１００）に対応するデシベル値Ｍ（Ｍ＝３０〜９０）が記述されている。制御部６１が、操作部７１から入力される操作情報、又は受光部７３経由で入力されるリモートコントローラ７２からの操作情報に基づき第１の変換テーブルを選択すれば、この第１の変換テーブルに基づき、検出された再生ボリューム値に対応するデシベル値を算出する。制御部６１が、操作部７１から入力される操作情報、又は受光部７３経由で入力されるリモートコントローラ７２からの操作情報に基づき第２の変換テーブルを選択すれば、この第２の変換テーブルに基づき、検出された再生ボリューム値に対応するデシベル値を算出する。
【００４４】
このように、不揮発性メモリ６１３に対して複数の変換テーブルを記憶させておくことにより、外部スピーカ制御装置の特性に応じたより忠実なデシベル変換を実現することができる。例えば、外部スピーカ制御装置Ａの商品説明（ホームページ又は取り扱い説明書など）において、外部スピーカ制御装置Ａに対して第１の変換テーブルの利用が推奨されているとする。この場合、第１の変換テーブルを利用することにより、つまり、ユーザがリモートコントローラ７２を操作して第１の変換テーブルを選択することにより、外部スピーカ制御装置Ａで設定されている再生ボリューム値をより忠実にデシベル値に変換できる。同様に、外部スピーカ制御装置Ｂの商品説明（ホームページ又は取り扱い説明書など）において、外部スピーカ制御装置Ｂに対して第２の変換テーブルの利用が推奨されているとする。この場合、第２の変換テーブルを利用することにより、つまり、ユーザがリモートコントローラ７２を操作して第２の変換テーブルを選択することにより、外部スピーカ制御装置Ｂで設定されている再生ボリューム値をより忠実にデシベル値に変換できる。
【００４５】
或いは、制御部６１の不揮発性メモリ６１３は、複数の再生ボリューム値と複数のデシベル値との対応関係を示す変換テーブルを、ベンダーＩＤ毎に記憶している。この場合、例えば、事前に、デジタルテレビジョン放送受信装置１の制御部６１は、ＨＤＭＩ−ＣＥＣのベンダーＩＤ通知コマンドを使用して、外部スピーカ制御装置２のベンダーＩＤを検出する。制御部６１は、検出されたベンダーＩＤに対応した変換テーブルを選択し、選択した変換テーブルに基づき、検出された再生ボリューム値に対応するデシベル値を算出する。
【００４６】
上記したように、デジタルテレビジョン放送受信装置１の制御部６１は、検出された再生ボリューム値に対応するデシベル値を算出する。続いて、デジタルテレビジョン放送受信装置１の音声処理部５３のDolby Volume機能を利用して、信号処理部４７から供給されるデジタルの音声信号から、算出されたデシベル値に対応したデジタルの音声信号を生成し、生成されたデジタルの音声信号をＨＤＭＩ Ｉ／Ｆ（Interface）８７に出力する。ＨＤＭＩ Ｉ／Ｆ８７に入力されたデジタルの音声信号は、ＨＤＭＩ端子８８を介して、外部スピーカ制御装置（amplifier）２に出力される。さらに、この音声信号に対応した映像信号に基づく映像が映像表示装置５７に出力される。
【００４７】
以上により、デジタルテレビジョン放送受信装置１は、Dolby Volumeに対応していない外部スピーカ制御装置２に対して、Dolby Volumeの効果を齎すことができる。その結果、外部スピーカ３は、コンテンツの音量レベル差による違和感が解消された音声、及び再生ボリューム値（音量）に応じて帯域補正された音声を出力することができる。
【００４８】
例えば、HDMI-CEC連携により、デジタルテレビジョン放送受信装置１のリモートコントローラ７２で外部スピーカ制御装置２で設定される音量を変化させながら、Dolby Volume等の効果を得られる。
【００４９】
次に、図３を参照して、上記説明したDolby Volume機能の拡張について説明する。
【００５０】
デジタルテレビジョン放送受信装置１の制御部６１は、Dolby Volume機能が有効になっているか否かを確認し（ＳＴ１）。さらに音声信号の出力先が外部スピーカになっているか否かを確認し（ＳＴ２）、外部スピーカ制御装置２がＨＤＭＩ−ＣＥＣ機能に対応しているか否かを確認する（ＳＴ３）。
【００５１】
Dolby Volume機能が有効で（ＳＴ１、ＹＥＳ）、音声信号の出力先が外部スピーカで（ＳＴ２、ＹＥＳ）、外部スピーカ制御装置２がＨＤＭＩ−ＣＥＣ機能に対応していれば（ＳＴ３、ＹＥＳ）、制御部６１は、ＨＤＭＩ−ＣＥＣのボリューム位置通知コマンドを使用して、外部スピーカ制御装置２の再生ボリューム値（ボリューム位置）を検出する（ＳＴ４）。さらに、制御部６１は、ＨＤＭＩ−ＣＥＣのボリューム位置通知コマンドにより検出された再生ボリューム値に対応するデシベル値を算出する（ＳＴ５）。さらに、音声処理部５３のDolby Volume機能を利用して、算出されたデシベル値に対応した音声信号を生成し、生成された音声信号を、ＨＤＭＩ端子８８を介して、外部スピーカ制御装置２へ出力する（ＳＴ６）。
【００５２】
さらに図４を参照して、変換テーブルに基づく、再生ボリューム値に対応したデシベル値の算出について説明する。
【００５３】
制御部６１が、不揮発性メモリ６１３に記憶された複数の変換テーブルの中から一つの変換テーブルを決定できる場合、例えば外部スピーカ制御装置２のベンダーＩＤを検出している場合には（ＳＴ１１、ＹＥＳ）、外部スピーカ制御装置２のベンダーＩＤに対応した変換テーブルを選択し（ＳＴ１２）、選択した変換テーブルに基づき、再生ボリューム値に対応したデシベル値を算出する（ＳＴ１３）。
【００５４】
制御部６１が、変換テーブルを決定できない場合で（ＳＴ１１、ＮＯ）、ユーザからの変換テーブルの選択指示を受信している場合には（ＳＴ１４、ＹＥＳ）、不揮発性メモリ６１３に記憶された複数の変換テーブルの中から選択指示に対応した一つの変換テーブルを選択し（ＳＴ１５）、選択した変換テーブルに基づき、再生ボリューム値に対応したデシベル値を算出する（ＳＴ１３）。
【００５５】
制御部６１が、不揮発性メモリ６１３に記憶された複数の変換テーブルの中から一つの変換テーブルを決定できない場合で（ＳＴ１１、ＮＯ）、ユーザからの変換テーブルの選択指示も無い場合には（ＳＴ１４、ＮＯ）、制御部６１は、不揮発性メモリ６１３に記憶された複数の変換テーブルの中から予め指定された一つの変換テーブルを選択し（ＳＴ１６）、選択した変換テーブルに基づき、再生ボリューム値に対応したデシベル値を算出する（ＳＴ１３）。
【００５６】
上記した予め指定された変換テーブル（以下、指定変換テーブル）とは、例えば、様々な特性の外部スピーカ制御装置が普及している中で、大部分の外部スピーカ制御装置で比較的良好なデシベル変換結果が得られる汎用性の高い変換テーブルである。或いは、制御部６１が、過去の変換テーブルの使用履歴を不揮発性メモリ６１３に記憶しておき、過去の変換テーブルの使用履歴に基づき指定変換テーブルを決定するようにしてもよい。つまり、前回使用された変換テーブルを指定変換テーブルに決定してもよいし、使用頻度の最も高い変換テーブルを指定変換テーブルに決定してよい。
【００５７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５８】
【図１】デジタルテレビジョン放送受信装置と外部スピーカ制御装置とが接続され、さらに外部スピーカ制御装置と外部スピーカとが接続された状態を示す図である。
【図２】この発明の一実施形態に係るデジタルテレビジョン放送受信装置（映像音声出力装置）の概略構成を示す図である。
【図３】Dolby Volume機能の拡張を説明するためのフローチャートである。
【図４】変換テーブルに基づく再生ボリューム値に対応したデシベル値の算出について説明するためのフローチャートである。
【符号の説明】
【００５９】
１…デジタルテレビジョン放送受信装置、２…外部スピーカ制御装置、３…外部スピーカ、４７…信号処理部、５３…音声処理部、５５…映像処理部、５６…内部スピーカ、５７…映像表示部、６１…制御部、８７…ＨＤＭＩ Ｉ／Ｆ、８８…ＨＤＭＩ端子
【図１】
0004374058.tif 000002
【図２】
0004374058.tif 000003
【図３】
0004374058.tif 000004
【図４】
0004374058.tif 000005